(57)【要約】【課題】パネルフレームに設定するビード形状の最適化を図ること。【解決手段】シートバックの骨格を成すパネルフレーム１０は、その高さ方向の２箇所で乗物本体に固定される固定点Ｑ１，Ｑ２と、各固定点Ｑ１，Ｑ２間を結ぶ線分Ｌにより仕切られる一方側の領域を成して別の下側固定点Ｑ３で乗物本体に固定される固定領域Ａ１と、上記仕切られる他方側の領域を成して片持ち状に張り出す張出領域Ａ２と、張出領域Ａ２に設定された面外方向の負荷入力点Ｆと、パネルフレーム１０の面剛性を高める絞り形状のビード１１とを有する。ビード１１は、上側固定点Ｑ１に近い高さ位置から両領域Ａ１，Ａ２に跨って下側へ延びる第１のビード片１１Ａと、下側固定点Ｑ２に近い高さ位置から両領域Ａ１，Ａ２に跨って上側へ延びる第２のビード片１１Ｂと、これらの間に互いの間に一般面１２を有する形で両領域Ａ１，Ａ２に跨って延びる第３のビード片１１Ｃとを有する。【選択図】図２
2018047772.tif 000002
【特許請求の範囲】
【請求項１】
シートバックの骨格を成すパネルフレームを備えた乗物用シートであって、
前記パネルフレームは、
その高さ方向の２箇所の位置で乗物本体に固定される各固定点と、
当該各固定点間を結ぶ線分により仕切られる一方側の領域を成し前記各固定点とは別の位置に前記乗物本体に対する別の固定箇所を有する固定領域と、
前記線分により仕切られる他方側の領域を成し前記乗物本体に固定されることなく片持ち状に張り出す張出領域と、
該張出領域に設定された面外方向の負荷を作用させることのある負荷入力点と、
当該パネルフレームに面剛性を高めるための絞り形状を形成するビードと、を有し、
前記ビードが、前記各固定点のうちの一方より他方に近い高さ方向の箇所から前記張出領域と前記固定領域とに跨って前記一方に向かって延びる第１のビード片と、前記各固定点のうちの前記他方より前記一方に近い高さ方向の箇所から前記張出領域と前記固定領域とに跨って前記他方に向かって延びる第２のビード片と、当該各ビード片の間にこれらとは互いの間に一般面を有する形に切り離された状態となって前記張出領域と前記固定領域とに跨って形成された第３のビード片と、を有する構成とされている乗物用シート。
【請求項２】
請求項１に記載の乗物用シートであって、
前記第３のビード片が、前記線分上に複数個互いの間に隙間を空けて並んだ形となって形成されている乗物用シート。
【請求項３】
請求項２に記載の乗物用シートであって、
前記線分上に複数個並ぶ前記第３のビード片が、互いに高さ方向にも幅方向にも配置が重なる形状とされている乗物用シート。
【発明の詳細な説明】
【技術分野】
【０００１】
本発明は、乗物用シートに関する。詳しくは、シートバックの骨格を成すパネルフレームを備えた乗物用シートに関する。
【背景技術】
【０００２】
従来、自動車のリヤシートにおいて、シートバックのフレームが、車体のパーティションパネル上に固定されて設けられるパネルフレームにより構成されたものが知られている（特許文献１）。上記パネルフレームは、その下端側の左右２箇所と上端側の中央１箇所とがそれぞれパーティションパネル上にボルト締結されて一体的に固定された状態とされている。上記パネルフレームには、そのパネル面の延びる広い範囲に亘って、パネル面の曲げや捩れに対する剛性を高めるための絞り形状のビードが形成されている。
【先行技術文献】
【特許文献】
【０００３】
【特許文献１】特許第４１４６１３５号公報
【発明の概要】
【発明が解決しようとする課題】
【０００４】
しかし、上記従来技術では、パネルフレームの上端側の左右どちらかの肩口部に操作レバーやヘッドレスト支持部等の何らかの負荷作用部が設定されている場合、同負荷作用部から入力される負荷により、同負荷を片持ち状の負荷として支えるパネルフレームの上下の固定点間を結ぶ線上の位置に過負荷が入り、パネルフレームが折れ曲がり状に変形してしまうおそれがある。本発明は、上述した問題を解決するものとして創案されたものであって、本発明が解決しようとする課題は、パネルフレームに設定するビード形状の最適化を図ることにある。
【課題を解決するための手段】
【０００５】
上記課題を解決するために、本発明の乗物用シートは次の手段をとる。
【０００６】
第１の発明は、シートバックの骨格を成すパネルフレームを備えた乗物用シートである。パネルフレームは、その高さ方向の２箇所の位置で乗物本体に固定される各固定点と、各固定点間を結ぶ線分により仕切られる一方側の領域を成し各固定点とは別の位置に乗物本体に対する別の固定箇所を有する固定領域と、上記線分により仕切られる他方側の領域を成し乗物本体に固定されることなく片持ち状に張り出す張出領域と、張出領域に設定された面外方向の負荷を作用させることのある負荷入力点と、パネルフレームに面剛性を高めるための絞り形状を形成するビードと、を有する。ビードが、各固定点のうちの一方より他方に近い高さ方向の箇所から張出領域と固定領域とに跨って一方に向かって延びる第１のビード片と、各固定点のうちの他方より一方に近い高さ方向の箇所から張出領域と固定領域とに跨って他方に向かって延びる第２のビード片と、各ビード片の間にこれらとは互いの間に一般面を有する形に切り離された状態となって張出領域と固定領域とに跨って形成された第３のビード片と、を有する構成とされている。
【０００７】
この第１の発明によれば、パネルフレームに形成されたビードによって、張出領域が負荷入力点から入力された面外方向の負荷によってその片持ちの支点となる各固定点間を結ぶ線分を折れ曲がり線として折り曲げられることが適切に抑えられるようになる。詳しくは、上記ビードが、パネルフレームの張出領域と固定領域とに跨る第１のビード片と第２のビード片との間に第３のビード片が浮島状に形成された構成とされていることにより、第１のビード片と第２のビード片とを適度に途中止めして長尺状になり過ぎない形に形成したとしても、これらの間に形成される一般面の一部に浮島状の第３のビード片が形成されることで、同領域の面剛性を適切に高めることができる。このような形で、パネルフレームに最適なビード形状を設定することができる。
【０００８】
第２の発明は、上述した第１の発明において、次の構成とされているものである。第３のビード片が、上記線分上に複数個互いの間に隙間を空けて並んだ形となって形成されている。
【０００９】
この第２の発明によれば、第１のビード片と第２のビード片との間の領域の面剛性を更に適切に高めることができる。
【００１０】
第３の発明は、上述した第２の発明において、次の構成とされているものである。上記線分上に複数個並ぶ第３のビード片が、互いに高さ方向にも幅方向にも配置が重なる形状とされている。
【００１１】
この第３の発明によれば、第１のビード片と第２のビード片との間の領域の面剛性を更に適切に高めることができる。
【図面の簡単な説明】
【００１２】
【図１】実施例１の乗物用シートの要部構造を表した斜視図である。
【図２】パネルフレームの正面図である。
【図３】パネルフレームの各固定点と負荷入力点とを示した模式図である。
【図４】図２のIV-IV線断面図である。
【発明を実施するための形態】
【００１３】
以下に、本発明を実施するための形態について、図面を用いて説明する。
【実施例１】
【００１４】
始めに、実施例１のシート１（乗物用シート）の構成について、図１〜図４を用いて説明する。なお、以下の説明において、前後上下左右等の各方向を示す場合には、各図中に示されたそれぞれの方向を指すものとする。本実施例のシート１は、図１に示すように、自動車の後部側座席として構成されており、着座乗員の背凭れ部となるシートバック２と、着座部となる不図示のシートクッションと、を備えた構成とされている。上述したシート１は、３人掛け可能なベンチシートにおける幅方向に６：４分割された幅広側の分割シートとして構成されている。
【００１５】
上記シート１のシートバック２の内部骨格は、１枚の金属パネルから成るパネルフレーム１０によって構成されている。上記パネルフレーム１０は、図１〜図２に示すように、その背裏側に位置する車体のパーティションパネルＰ（具体的な図示は省略）上に前側からセットされて取り付けられている。具体的には、上述したパネルフレーム１０は、その上端側領域における幅方向の略中央箇所（上側固定点Ｑ１）と、下端側領域における幅方向の両端箇所（下側固定点Ｑ２，Ｑ３）とが、それぞれ、上述した車体のパーティションパネルＰ上にボルト締結されて一体的に固定された状態として設けられている。ここで、上述したパーティションパネルＰが本発明の「乗物本体」に相当する。
【００１６】
上記固定により、パネルフレーム１０は、その前側面上にセットされる不図示のバックパッドを裏側から広く面支持することができる状態として設けられている。詳しくは、上記パネルフレーム１０は、上記固定により、図３に示すように、その上側固定点Ｑ１と左側の下側固定点Ｑ２とを結ぶ線分Ｌにより仕切られる右側の領域が、上述した右側の下側固定点Ｑ３により車体のパーティションパネルＰ上に完全拘束された状態に固定されて設けられる固定領域Ａ１として構成されている。また、上記パネルフレーム１０は、上記固定により、上記線分Ｌにより仕切られる左側の領域が、車体のパーティションパネルＰ上に固定されることなく左上方向に片持ち状に張り出す張出領域Ａ２として構成されている。
【００１７】
上記張出領域Ａ２は、その支持形態が片持ち状とされていることにより、上述した固定領域Ａ１と比べて前後方向に撓みやすい形に設けられた状態とされている。ここで、上述した上側固定点Ｑ１と左側の下側固定点Ｑ２とが本発明の「固定点」にそれぞれ相当し、右側の下側固定点Ｑ３が本発明の「別の固定箇所」に相当する。
【００１８】
上述した張出領域Ａ２内となるパネルフレーム１０の左側の肩口部には、同肩口部に取り付けられる図示しない何らかのレバーやヘッドレストに作用する荷重によって前後方向（面外方向）の負荷を作用させることのある負荷入力点Ｆが設定されている。なお、上記負荷入力点Ｆの位置は、張出領域Ａ２内のどの位置に設定されるものであってもよく、同図に示される位置は、その具体的な一例を示すに過ぎないものである。
【００１９】
上述したパネルフレーム１０は、正面視略矩形状となる略平板形状に形成されている。しかし、上記パネルフレーム１０の所々の箇所には、その面剛性（曲げや捩りに対する剛性）を高めるための絞り形状を形成するビード１１が形成されている。上述したビード１１は、概略、パネルフレーム１０の上側領域に形成された第１のビード片１１Ａと、パネルフレーム１０の下側領域に形成された第２のビード片１１Ｂと、これら第１のビード片１１Ａと第２のビード片１１Ｂとの間に浮島状に切り離された形となって形成された２つの第３のビード片１１Ｃと、によって構成されている。
【００２０】
上述した第１のビード片１１Ａと第２のビード片１１Ｂとは、それぞれ、パネルフレーム１０の一般面１２に対して、各々が互いに同じ膨らみ高さで一般面１２から前側に膨らむ形に絞り加工されて形成されている（図４参照）。これに対して、上述した各第３のビード片１１Ｃは、上述した第１のビード片１１Ａや第２のビード片１１Ｂよりも小さい膨らみ高さで一般面１２から前側に膨らむ形に絞り加工されて形成されている。
【００２１】
具体的には、図２〜図３に示すように、上述した第１のビード片１１Ａは、パネルフレーム１０の略上側の縁部から上側固定点Ｑ１の右側の領域である固定領域Ａ１と左側の領域である張出領域Ａ２とに跨る広い横幅を持って下側へと延び出す本体形状部１１Ａ１と、本体形状部１１Ａ１の右端の箇所から部分的に下側へと長く延び出す入込み形状部１１Ａ２と、本体形状部１１Ａ１の左端の箇所からパネルフレーム１０の左側の縁部に沿って部分的に下側へと長く延び出す周縁形状部１１Ａ３と、を連続的に有した形に形成されている。上述した入込み形状部１１Ａ２は、パネルフレーム１０の右側の縁部は通らず幅方向の中間領域を通って下側へと延び出す形状とされている。上述した本体形状部１１Ａ１は、上記下側への延び出しにより、上述した上側固定点Ｑ１から固定領域Ａ１と張出領域Ａ２とに跨った形で線分Ｌ上を下側固定点Ｑ２に向かって高さ方向に近付けられた形状とはされているものの、パネルフレーム１０の下側の縁部までは至らない途中止めされた形状とされている。
【００２２】
一方、第２のビード片１１Ｂは、パネルフレーム１０の略下側の縁部から左右の下側固定点Ｑ２，Ｑ３の間の大半領域に跨る広い横幅を持って上側へと延び出す本体形状部１１Ｂ１と、本体形状部１１Ｂ１の右端の箇所からＵ字状に上側へと延び出すＵ字形状部１１Ｂ２と、を連続的に有した形に形成されている。上述した本体形状部１１Ｂ１は、上述したパネルフレーム１０の略下側の縁部から各下側固定点Ｑ２，Ｑ３を上側に越えた位置で、その左端側の形状部分がパネルフレーム１０の左側の縁部に至るところまで延び出して、上述した第１のビード片１１Ａの周縁形状部１１Ａ３の下端部分と互いに膨らみ高さの異なる（低い）ビード形状から成る接続部１３により接続された形状とされている。
【００２３】
また、Ｕ字形状部１１Ｂ２は、上述した本体形状部１１Ｂ１の右端側の形状部分を底辺部分１１Ｂ２ａとしてパネルフレーム１０の幅方向の略中央箇所と右側の縁部とに沿ってそれぞれ各立辺部分１１Ｂ２ｂ，１１Ｂ２ｃを上側へ延び出させるＵ字形状に形成されている。詳しくは、上記Ｕ字形状部１１Ｂ２は、そのパネルフレーム１０の幅方向の略中央箇所に沿って上側へと延び出す立辺部分１１Ｂ２ｂが、上述した第１のビード片１１Ａの本体形状部１１Ａ１と高さ方向に突き当たる位置までは延び出さず、上記本体形状部１１Ａ１との間に一般面１２を形成した形状とされている。また、上記Ｕ字形状部１１Ｂ２は、そのパネルフレーム１０の右側の縁部に沿って上側へと延び出す立辺部分１１Ｂ２ｃが、上記底辺部分１１Ｂ２ａの右端部から右斜め上側に延び出してパネルフレーム１０の右側の縁部に至ったところから、同右側の縁部に沿って上側に真っ直ぐ延び出した形状とされている。
【００２４】
上述した本体形状部１１Ｂ１は、上記上側への延び出しにより、上述した左側の下側固定点Ｑ２から固定領域Ａ１と張出領域Ａ２とに跨った形で線分Ｌ上を上側固定点Ｑ１に向かって高さ方向に近付けられた形状とはされているものの、パネルフレーム１０の上側の縁部までは至らない途中止めされた形状とされている。上記構成により、パネルフレーム１０には、上述した線分Ｌ上において、上側固定点Ｑ１から左側の下側固定点Ｑ２に向かって延び出す第１のビード片１１Ａの本体形状部１１Ａ１と、左側の下側固定点Ｑ２から上側固定点Ｑ１に向かって延び出す第２のビード片１１Ｂの本体形状部１１Ｂ１とが、互いの間に一般面１２を有する形に切り離されて形成された状態とされている。
【００２５】
上述した線分Ｌ上に現れる第１のビード片１１Ａの本体形状部１１Ａ１と第２のビード片１１Ｂの本体形状部１１Ｂ１とは、互いの相手側に向けての延び出し長さを長くすることにより、互いの間に形成される一般面１２の長さを短くすることができる。しかし、各々の本体形状部１１Ａ１，１１Ｂ１の相手側に向けて延び出し長さを長くすると、各々のビード面の拡張により剛性低下を招くこととなる。そこで、上記第１のビード片１１Ａの本体形状部１１Ａ１と第２のビード片１１Ｂの本体形状部１１Ｂ１との間の一般面１２の形成される領域に、これら第１のビード片１１Ａや第２のビード片１１Ｂとは切り離される形で浮島状のビード形状を形成する２つの第３のビード片１１Ｃが形成されている。
【００２６】
上述した各第３のビード片１１Ｃは、それぞれ、幅方向と高さ方向とに延び出す略Ｌ字状のビード形状を有し、互いのＬ字形状を向かい合わせる形に並んで設けられた状態とされている。具体的には、各第３のビード片１１Ｃは、互いのＬ字形状が２回対称となる向きとされて、互いの幅方向に延びるビード形状同士が高さ方向に間を空けて向かい合わされると共に、互いの高さ方向に延びるビード形状同士も幅方向に間を空けて向かい合わされた形に設けられた状態とされている。そして、各第３のビード片１１Ｃは、それらの幅方向に延びるビード形状が、それぞれ、上述した線分Ｌ上を通るように配置されて、張出領域Ａ２と固定領域Ａ１とに跨る形に延び出した形状とされている。より詳しくは、各第３のビード片１１Ｃは、それらの高さ方向に延びるビード形状が、互いの間を走る線分Ｌの垂線領域Ｌａに形状を延出させた状態として設けられた状態とされている（図３参照）。
【００２７】
上記構成により、パネルフレーム１０は、上述した線分Ｌに跨って延びる第１のビード片１１Ａと第２のビード片１１Ｂと各第３のビード片１１Ｃとによって、張出領域Ａ２が負荷入力点Ｆから入力された前後方向（面外方向）の負荷によってその片持ちの支点となる線分Ｌを折れ曲がり線として折り曲げられることが適切に抑えられるようになっている。詳しくは、上記各第３のビード片１１Ｃが互いに線分Ｌの垂線領域Ｌａに形状を延出させた状態として設けられていることにより、上記の負荷入力時にパネルフレーム１０が各第３のビード片１１Ｃの間の領域を上記線分Ｌの垂線領域Ｌａに沿って折れ曲がり線を走らせる形に折り曲げられることも適切に抑えられるようになっている。
【００２８】
以上をまとめると、本実施例のシート１は、次のような構成となっている。すなわち、シートバック（シートバック２）の骨格を成すパネルフレーム（パネルフレーム１０）を備えた乗物用シート（シート１）である。パネルフレーム（パネルフレーム１０）は、その高さ方向の２箇所の位置で乗物本体（パーティションパネルＰ）に固定される各固定点（上側固定点Ｑ１及び下側固定点Ｑ２）と、各固定点（上側固定点Ｑ１及び下側固定点Ｑ２）間を結ぶ線分（線分Ｌ）により仕切られる一方側の領域を成し各固定点（上側固定点Ｑ１及び下側固定点Ｑ２）とは別の位置に乗物本体（パーティションパネルＰ）に対する別の固定箇所（下側固定点Ｑ３）を有する固定領域（固定領域Ａ１）と、上記線分（線分Ｌ）により仕切られる他方側の領域を成し乗物本体（パーティションパネルＰ）に固定されることなく片持ち状に張り出す張出領域（張出領域Ａ２）と、張出領域（張出領域Ａ２）に設定された面外方向（前後方向）の負荷を作用させることのある負荷入力点（負荷入力点Ｆ）と、パネルフレーム（パネルフレーム１０）に面剛性を高めるための絞り形状を形成するビード（ビード１１）と、を有する。
【００２９】
上記ビード（ビード１１）が、各固定点のうちの一方（下側固定点Ｑ２）より他方（上側固定点Ｑ１）に近い高さ方向の箇所から張出領域（張出領域Ａ２）と固定領域（固定領域Ａ１）とに跨って一方（下側固定点Ｑ２）に向かって延びる第１のビード片（第１のビード片１１Ａ）と、各固定点のうちの他方（上側固定点Ｑ１）より一方（下側固定点Ｑ２）に近い高さ方向の箇所から張出領域（張出領域Ａ２）と固定領域（固定領域Ａ１）とに跨って他方（上側固定点Ｑ１）に向かって延びる第２のビード片（第２のビード片１１Ｂ）と、各ビード片（第１のビード片１１Ａと第２のビード片１１Ｂ）の間にこれらとは互いの間に一般面（一般面１２）を有する形に切り離された状態となって張出領域（張出領域Ａ２）と固定領域（固定領域Ａ１）とに跨って形成された第３のビード片（第３のビード片１１Ｃ）と、を有する構成とされている。
【００３０】
このような構成とされていることにより、パネルフレーム（パネルフレーム１０）に形成されたビード（ビード１１）によって、張出領域（張出領域Ａ２）が負荷入力点（負荷入力点Ｆ）から入力された面外方向（前後方向）の負荷によってその片持ちの支点となる各固定点（上側固定点Ｑ１及び下側固定点Ｑ２）間を結ぶ線分（線分Ｌ）を折れ曲がり線として折り曲げられることが適切に抑えられるようになる。詳しくは、上記ビード（ビード１１）が、パネルフレーム（パネルフレーム１０）の張出領域（張出領域Ａ２）と固定領域（固定領域Ａ１）とに跨る第１のビード片（第１のビード片１１Ａ）と第２のビード片（第２のビード片１１Ｂ）との間に第３のビード片（第３のビード片１１Ｃ）が浮島状に形成された構成とされていることにより、第１のビード片（第１のビード片１１Ａ）と第２のビード片（第２のビード片１１Ｂ）とを適度に途中止めして長尺状になり過ぎない形に形成したとしても、これらの間に形成される一般面（一般面１２）の一部に浮島状の第３のビード片（第３のビード片１１Ｃ）が形成されることで、同領域の面剛性を適切に高めることができる。このような形で、パネルフレーム（パネルフレーム１０）に最適なビード形状を設定することができる。
【００３１】
また、第３のビード片（第３のビード片１１Ｃ）が、上記線分（線分Ｌ）上に複数個互いの間に隙間を空けて並んだ形となって形成されている。このような構成とされていることにより、第１のビード片（第１のビード片１１Ａ）と第２のビード片（第２のビード片１１Ｂ）との間の領域の面剛性を更に適切に高めることができる。
【００３２】
また、上記線分（線分Ｌ）上に複数個並ぶ第３のビード片（第３のビード片１１Ｃ）が、互いに高さ方向にも幅方向にも配置が重なる形状とされている。このような構成とされていることにより、第１のビード片（第１のビード片１１Ａ）と第２のビード片（第２のビード片１１Ｂ）との間の領域の面剛性を更に適切に高めることができる。
【００３３】
以上、本発明の実施形態を１つの実施例を用いて説明したが、本発明は上記実施例のほか各種の形態で実施することができるものである。例えば、本発明の「乗物用シート」は、自動車の後部側座席以外のシートにも適用することができる他、鉄道等の自動車以外の車両や、航空機、船舶等の他の乗物用に供されるシートにも広く適用することができるものである。
【００３４】
また、パネルフレームの高さ方向の２箇所の位置を乗物本体に固定する各固定点は、必ずしもパネルフレームの高さ方向の端箇所に設定されていなくてもよく、中央箇所等の中間箇所に設定されたものであってもよい。また、固定領域を構成するための上記各固定点とは別の固定箇所は、必ずしも各固定点のうちの一方と幅方向に並ぶ位置に設定されていなくてもよく、各固定点の間の高さ箇所に設定されていてもよい。また、上記別の固定箇所は、複数箇所に設定されていてもよい。
【００３５】
また、第３のビード片は、複数個でなく１個で構成されるものであってもよい。また、第３のビード片が第１又は第２ビード片と同じ膨らみ高さで膨らむビード形状とされたものであってもよい。第３のビード片の形状は、第１のビード片と第２のビード片との間の形に応じて形成されるものであり、その具体的な形状は特定の形状に限定されるものではない。
【００３６】
また、上記実施例では、パネルフレームが上側１箇所と下側２箇所で乗物本体に固定されて上側の肩口に負荷入力点が設定された構成を例示したが、パネルフレームが上側２箇所と下側１箇所で乗物本体に固定されて張出領域が形成される下側の端領域に負荷入力点が設定された構成であってもよい。なお、各固定点間を結ぶ線分は、高さ方向に真っ直ぐ延びるように設定されていてもよい。
【符号の説明】
【００３７】
１      シート（乗物用シート）
２      シートバック
１０    パネルフレーム
１１    ビード
１１Ａ  第１のビード片
１１Ａ１  本体形状部
１１Ａ２  入込み形状部
１１Ａ３  周縁形状部
１１Ｂ  第２のビード片
１１Ｂ１  本体形状部
１１Ｂ２  Ｕ字形状部
１１Ｂ２ａ  底辺部分
１１Ｂ２ｂ  立辺部分
１１Ｂ２ｃ  立辺部分
１１Ｃ  第３のビード片
１２    一般面
１３    接続部
Ｑ１    上側固定点（固定点）
Ｑ２    下側固定点（固定点）
Ｑ３    下側固定点（別の固定箇所）
Ｆ      負荷入力点
Ｌ      線分
Ｌａ    垂線領域
Ａ１    固定領域
Ａ２    張出領域
Ｐ      パーティションパネル（乗物本体）
【図１】
2018047772.tif 000003
【図２】
2018047772.tif 000004
【図３】
2018047772.tif 000005
【図４】
2018047772.tif 000006